(57)【特許請求の範囲】
【請求項１】
楽曲投稿サーバー装置を含んで構成された投稿楽曲選曲システムであって、
前記楽曲投稿サーバー装置は、ユーザーが所持する携帯端末、及び、カラオケ装置と通信可能であり、
投稿ユーザーは、
投稿楽曲に対応し、関連情報が付された公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記携帯端末は、
前記公開サーバー装置が公開する前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする
投稿楽曲選曲システム。
【請求項２】
前記関連情報は、前記投稿楽曲の楽曲名、投稿ユーザー名の少なくとも１つを含むことを特徴とする
請求項１に記載の投稿楽曲選曲システム。
【請求項３】
前記公開楽曲情報は、映像情報を含み、
前記関連情報は、前記映像情報で表示されるコード化情報であることを特徴とする
請求項１または請求項２に記載の投稿楽曲選曲システム。
【請求項４】
前記関連情報は、前記楽曲投稿サーバー装置への前記カラオケ楽曲情報の投稿時、前記楽曲投稿サーバー装置で発行された情報であることを特徴とする
請求項１から請求項３の何れか１項に記載の投稿楽曲選曲システム。
【請求項５】
楽曲投稿サーバー装置、カラオケ装置と通信可能な携帯端末で実行される投稿楽曲選曲プログラムであって、
投稿ユーザーは、
投稿楽曲に対応し、関連情報が付された公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記投稿楽曲選曲プログラムは、
前記公開サーバー装置で公開された前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする
投稿楽曲選曲プログラム。
【請求項６】
楽曲投稿サーバー装置に投稿されたカラオケ楽曲情報を選曲する投稿楽曲選曲方法であって、
前記楽曲投稿サーバー装置は、ユーザーが所持する携帯端末、及び、カラオケ装置と通信可能であり、
投稿ユーザーは、
投稿楽曲に対応し、関連情報が付された公開楽曲情報を公開サーバー装置で公開する公開処理と、
前記公開処理で公開する投稿楽曲に対応する前記カラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記携帯端末は、
前記公開サーバー装置で公開された前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする
投稿楽曲選曲方法。
【請求項７】
ユーザーが所持する携帯端末、及び、カラオケ装置と通信可能であり、投稿されたカラオケ楽曲情報をカラオケ装置に配信する楽曲投稿サーバー装置であって、
投稿ユーザーは、
投稿楽曲に対応し、関連情報が付された公開楽曲情報を公開サーバー装置で公開する公開処理と、
前記公開処理で公開する投稿楽曲に対応する前記カラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理と、
前記携帯端末から問い合わせのあった前記関連情報に対応し、前記カラオケ楽曲情報に付与された前記識別情報を返信する識別情報返信処理を実行することを特徴とする
楽曲投稿サーバー装置。
【発明の詳細な説明】
【技術分野】
【０００１】
本発明は、ユーザーによって投稿された楽曲を選曲する投稿楽曲選曲システム、投稿楽曲選曲プログラム、投稿楽曲選曲方法及び楽曲投稿サーバー装置に関する。
【背景技術】
【０００２】
インターネットの普及・拡大により、メディア制作者のみならず一般のユーザーによって投稿された映像が人気を集めている。ところで、このような投稿の場では、映像のみならず、自分で作成した楽曲を投稿し、インターネットを介してユーザーに広く聞いて貰うことが可能である。このような投稿サービスでは、デビューするためレコード会社に自己の作品を持ち込むといったプロセスを踏むことなく、多数のユーザーに自分の作品を聞いて貰うことが可能である。
【０００３】
特許文献１には、アマチュアアーティストが生成した楽曲がカラオケで演奏された場合、その演奏回数に応じてアマチュアアーティストに所定の報奨を支払う楽曲配信システムが開示されている。このようにアマチュアアーティストに対して演奏回数に応じた報酬を支払うことで、アマチュアアーティストの楽曲生成の意欲を向上させることが可能となる。
【先行技術文献】
【特許文献】
【０００４】
【特許文献１】特開２０１５−３８５９１号公報
【発明の概要】
【発明が解決しようとする課題】
【０００５】
ところで、特許文献１に開示される楽曲配信システムは、アマチュアアーティストの中から優秀なアーティストを発掘する場として有効と考えられる。しかしながら無名のアマチュアーティストの場合、たとえ優れた楽曲を投稿していたとしても、それが多くのユーザーに知られるには時間がかかることが考えられる。また、多数の自作曲が投稿される中、あまり再生されないまま投稿による公開される期間が終了してしまうことも考えられる。
【０００６】
本発明はこのような状況を鑑みたものであって、アマチュアアーティスト等によって投稿された投稿楽曲の利用機会の向上を図ることを目的としており、特に、カラオケ装置を使用してユーザーに積極的に利用（カラオケ曲として選曲）して貰うことを目的としている。
【課題を解決するための手段】
【０００７】
そのため、本発明に投稿楽曲選曲システムは、以下の構成を採用する。
楽曲投稿サーバー装置を含んで構成された投稿楽曲選曲システムであって、
前記楽曲投稿サーバー装置は、ユーザーが所持する携帯端末、及び、カラオケ装置と通信可能であり、
投稿ユーザーは、
投稿楽曲に対応し、関連情報が付された公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記携帯端末は、
前記公開サーバー装置が公開する前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする。
【０００８】
さらに本発明に係る投稿楽曲選曲システムにおいて、
前記関連情報は、前記投稿楽曲の楽曲名、投稿ユーザー名の少なくとも１つを含むことを特徴とする。
【０００９】
さらに本発明に係る投稿楽曲選曲システムにおいて、
前記公開楽曲情報は、映像情報を含み、
前記関連情報は、前記映像情報で表示されるコード化情報であることを特徴とする。
【００１０】
さらに本発明に係る投稿楽曲選曲システムにおいて、
前記関連情報は、前記楽曲投稿サーバー装置への前記カラオケ楽曲情報の投稿時、前記楽曲投稿サーバー装置で発行された情報であることを特徴とする。
【００１１】
また本発明に係る投稿楽曲選曲プログラムは、
楽曲投稿サーバー装置、カラオケ装置と通信可能な携帯端末で実行される投稿楽曲選曲プログラムであって、
投稿ユーザーは、
投稿楽曲に対応し、関連情報が付された公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記投稿楽曲選曲プログラムは、
前記公開サーバー装置で公開された前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする。
【００１２】
また本発明に係る投稿楽曲選曲方法は、
楽曲投稿サーバー装置に投稿されたカラオケ楽曲情報を選曲する投稿楽曲選曲方法であって、
前記楽曲投稿サーバー装置は、ユーザーが所持する携帯端末、及び、カラオケ装置と通信可能であり、
投稿ユーザーは、
投稿楽曲に対応し、関連情報が付された公開楽曲情報を公開サーバー装置で公開する公開処理と、
前記公開処理で公開する投稿楽曲に対応する前記カラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理を実行し、
前記携帯端末は、
前記公開サーバー装置で公開された前記公開楽曲情報に付与された前記関連情報を取得する関連情報取得処理と、
前記楽曲投稿サーバー装置にアクセスして、前記関連情報取得処理で取得した前記関連情報を使用して、前記カラオケ楽曲情報に付与された前記識別情報を取得する識別情報取得処理と、
取得した前記識別情報を使用して、前記カラオケ装置に対して前記カラオケ楽曲情報の再生を指示する選曲処理と、を実行することを特徴とする。
【００１３】
また本発明に係る楽曲投稿サーバー装置は、
ユーザーが所持する携帯端末、及び、カラオケ装置と通信可能であり、投稿されたカラオケ楽曲情報をカラオケ装置に配信する楽曲投稿サーバー装置であって、
投稿ユーザーは、
投稿楽曲に対応し、関連情報が付された公開楽曲情報を公開サーバー装置で公開する公開処理と、
前記公開処理で公開する投稿楽曲に対応する前記カラオケ楽曲情報を前記楽曲投稿サーバー装置に投稿する投稿処理と、を行い、
前記楽曲投稿サーバー装置は、
投稿された前記カラオケ楽曲情報に、配信先となる前記カラオケ装置で指定可能な識別情報を付与する識別情報付与処理と、
前記携帯端末から問い合わせのあった前記関連情報に対応し、前記カラオケ楽曲情報に付与された前記識別情報を返信する識別情報返信処理を実行することを特徴とする。
【発明の効果】
【００１４】
本発明に係る投稿楽曲選曲システム、投稿楽曲選曲プログラム、投稿楽曲選曲方法並びに楽曲投稿サーバー装置によれば、カラオケ装置に配信される投稿楽曲をカラオケ装置のみでユーザーに認知させるのみならず、公開サーバー装置を利用してユーザーに広く認知させることが可能である。また、公開サーバー装置を使用して投稿楽曲を知ったユーザーは、簡易な方法で当該投稿楽曲をカラオケ装置で再生することが可能である。
【００１５】
さらに本発明に係る投稿楽曲選曲システム、投稿楽曲選曲プログラム、投稿楽曲選曲方法並びに楽曲投稿サーバー装置では、関連情報として投稿楽曲の楽曲名、投稿ユーザー名の少なくとも１つを使用している。このような簡単な構成により、公開サーバー装置で公開された投稿楽曲（公開楽曲情報）と、投稿サーバー装置に投稿された投稿楽曲（カラオケ楽曲情報）との対応関係を取ることが可能となる。
【００１６】
さらに本発明に係る投稿楽曲選曲システム、投稿楽曲選曲プログラム、投稿楽曲選曲方法並びに楽曲投稿サーバー装置では、関連情報として、映像情報に含まれるマトリックス型二次元コードを使用している。このようにマトリックス型二次元コードの読み取りという簡単な処理で、公開サーバー装置で公開された投稿楽曲（公開楽曲情報）と、投稿サーバー装置に投稿された投稿楽曲（カラオケ楽曲情報）との対応関係を取ることが可能となる。
【００１７】
さらに本発明に係る投稿楽曲選曲システム、投稿楽曲選曲プログラム、投稿楽曲選曲方法並びに楽曲投稿サーバー装置では、関連情報は、投稿サーバー装置へのカラオケ楽曲情報の投稿時、投稿サーバー装置で発行された情報であることとしている。このような構成により、公開サーバー装置で公開された投稿楽曲（公開楽曲情報）と、投稿サーバー装置に投稿された投稿楽曲（カラオケ楽曲情報）との対応関係を確実なものとすることが可能となる。
【図面の簡単な説明】
【００１８】
【図１】投稿楽曲選曲システムの構成を示す図
【図２】カラオケシステムの構成を示す図
【図３】公開動画情報、カラオケ楽曲情報のデータ構成を示す図
【図４】投稿ユーザーによるコンテンツのアップロードを説明するための図
【図５】カラオケシステムにおける対応付け処理を示すフロー図
【図６】カラオケシステムにおける対応付け処理を示す模式図
【図７】カラオケシステムにおける遠隔操作処理を示すフロー図
【図８】カラオケシステムにおける遠隔操作処理を示す模式図
【図９】歌唱ユーザーによる携帯端末でのカラオケ楽曲の選曲を説明するための図
【図１０】パーソナルコンピュータに表示された動画公開サイトの動画選択画面
【図１１】パーソナルコンピュータに表示された動画公開サイトの動画視聴画面
【図１２】携帯端末に表示されたコード読み取り画面
【図１３】携帯端末に表示された楽曲確認画面を示す図
【図１４】携帯端末に表示された動画公開サイトの動画選択画面
【図１５】携帯端末に表示された動画公開サイトの動画視聴画面
【図１６】他の実施形態に係る公開・投稿処理のフロー図
【図１７】他の実施形態について投稿ユーザーによるコンテンツのアップロードを説明するための図
【発明を実施するための形態】
【００１９】
図１は、本実施形態に係る投稿楽曲選曲システムの構成を示す図である。本実施形態の投稿楽曲選曲システムは、投稿ユーザーによって投稿されたカラオケ楽曲情報を選曲するシステムである。投稿楽曲選曲システムの構成には、投稿されたカラオケ楽曲情報を管理する楽曲投稿サーバー装置８２と、カラオケボックスやスナックなどカラオケ店舗に配置されたカラオケ装置２ａ〜２ｃ…（以下、符号「２」を使用する）を含んで構成されている。楽曲投稿サーバー装置８２は、これらカラオケ装置２、並びに、ユーザー端末（パーソナルコンピュータ６ａ、６ｂ、スマートホンやタブレット端末等の各種携帯情報端末７）とインターネットなどのネットワーク網を介して通信することが可能である。楽曲投稿サーバー装置８２は、ユーザー端末から投稿されたカラオケ楽曲情報を受信し、カラオケ装置２に配信する。カラオケ装置２を使用する歌唱ユーザーは、投稿されたカラオケ楽曲情報をカラオケ装置２で演奏することで歌唱を行うことができる。投稿楽曲選曲システムは通信カラオケシステム（以下、カラオケシステム）としても構成されている。
【００２０】
また、投稿楽曲選曲システムは、本発明の構成ではない外部構成として、公開サーバー装置８１が存在することを前提としている。この公開サーバー装置８１は、楽曲投稿サーバー装置８２とは別の業者によって管理されるサーバー装置である。公開サーバー装置８１は、ユーザー端末（第１通信端末）から投稿された公開動画情報を受信し、ユーザー端末（第２通信端末）で視聴可能となるように公開する機能を有する。
【００２１】
図２には、本発明の実施形態に係る楽曲投稿サーバー装置８２の構成が示されている。楽曲投稿サーバー装置８２は、いわゆるコンピュータ装置であって、ＣＰＵやＲＯＭ、ＲＡＭなどで構成され、各種プログラムを実行可能な制御手段８２１と、ハードディスクなどの記憶手段８２２、前述したユーザー端末やカラオケ装置２と通信を行う通信手段８２３を備えて構成されている。通信手段８２３は、ルータ９２を介してネットワーク網に接続され、各種ユーザー端末やカラオケ装置２と通信可能となっている。ユーザー端末中、スマートホン等の携帯端末６は、携帯電話通信網用、あるいは、無線ＬＡＮ用の無線通信装置５を介して無線でネットワーク網にアクセスすることが可能である。
【００２２】
本実施形態の楽曲配信システム中の楽曲投稿サーバー装置８２は、このような構成により、ユーザー端末（第１通信端末）から投稿されたカラオケ楽曲情報を受信して記憶手段３８に記憶させる受信処理、記憶したカラオケ楽曲情報をカラオケ店舗側に設置されたカラオケ装置２に配信する配信処理、更に、投稿楽曲選曲システムへのログインを実行可能としている。
【００２３】
ところで、アマチュアアーティストは、自作した楽曲を広くユーザーに知って貰うため、複数のサイトに投稿することがある。例えば、図１に示すように公開サーバー装置８１に自作した楽曲を公開動画情報として公開サーバー装置８１に投稿するとともに、同楽曲がカラオケ装置２で歌唱できるようにカラオケ楽曲情報として楽曲投稿サーバー装置８２に投稿することが考えられる。本実施形態は、公開動画情報を閲覧することで投稿された楽曲の存在を知ったユーザーが、同楽曲をカラオケ装置２で容易に選曲して歌唱できることとし、動画投稿で視聴したユーザーをカラオケ装置２での選曲に誘引することを目的としている。
【００２４】
図２は、投稿楽曲情報の配信対象となるカラオケシステムの構成を示す図である。本実施形態におけるカラオケシステムのカラオケ店舗側は、カラオケ装置２（別称「コマンダ」ともいう）とリモコン装置１を有して構成されている。カラオケ装置２は、ＬＡＮ１００で構築されたネットワークを介して通信接続されている。また、カラオケ装置２を遠隔操作するためのリモコン装置１は、ＬＡＮ１００に接続されたアクセスポイント１３０を介して同ネットワークに通信接続されている。カラオケ装置２とリモコン装置１ａ、１ｂはネットワークを介して互いに通信可能となっている。なお、図２は、１台のカラオケ装置２に対して、リモコン装置１ａとリモコン装置１ｂ、２台のリモコン装置１が使用された例が示されている。これらリモコン装置１ａ、１ｂの構成は同一であるため、リモコン装置１として説明を行う。
【００２５】
カラオケボックスなどの店舗に設置されるカラオケ装置２は、楽曲を再生するための再生手段として音響制御部２５を備えている。また、カラオケ装置２は、ユーザーからの各種入力を受け付けるスイッチなどで構成されるカラオケ装置側入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのハードディスク３２を備える。カラオケ装置２は、ＬＡＮ１００に接続してネットワークに加入するためのカラオケ装置側通信手段としてのＬＡＮ通信部２４を備えている。
【００２６】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果付与などを実行する映像制御部３１を備えて構成される。
【００２７】
さらに、このカラオケ装置２では、外部に接続されたモニタ４１以外に、タッチパネルモニタ３３に対して各種情報を表示することを可能としている。タッチパネルモニタ３３は、映像制御部３１から入力された映像情報を表示する表示部３５と、タッチ入力された位置を操作処理部２２に出力するタッチパネル３４が重畳されて構成されている。
【００２８】
本実施形態では、このタッチパネルモニタ３３に対して、外部に接続されたタッチパネルモニタ３３と同様、再生されている楽曲の歌詞表示を行うことが可能となっている。その際、モニタ４１と同一画面の歌詞表示を行うこととしてもよいが、タッチパネルモニタ３３は、モニタ４１と比較して小さい画面であるため、歌詞文字を大きく表示する、あるいは、背景映像を使用しないなど、モニタ４１とは異なる形態で歌詞表示を行うこととしてもよい。
【００２９】
さらに、本実施形態のタッチパネルモニタ３３は、リモコン装置１の操作手段と同様の操作手段として機能することも可能となっている。ユーザーはタッチパネルモニタ３３から楽曲を選択して、直接カラオケ装置２に予約をさせるなど、リモコン装置１と同等の操作手段機能を利用することが可能である。前述した歌詞表示機能と、この操作手段機能との切り替えは、カラオケ装置２のフロントパネルに配置された操作部２１に対し所定の操作を行うことで切り替えられる。また、カラオケ装置２における楽曲再生時には、歌詞表示機能に自動で切り替えることとしてもよい。なお、再生中であってタッチパネルモニタ３３に歌詞表示されている場合においても、操作部２１の操作にて操作手段機能に切り替えることも可能である。
【００３０】
さらに、カラオケ装置２は、各構成を統括して制御するためのカラオケ装置側制御手段として、ＣＰＵにて構成される制御部３０、各種プログラムを実行するにあたって必要となる情報を一時記憶するためのメモリ２７を備えて構成される。
【００３１】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。なお、本実施形態では、ユーザーが所持する携帯端末６を使用した楽曲予約処理も可能である。楽曲再生処理は、予約された楽曲を再生させる処理であって、演奏処理と歌詞再生処理とが同期して実行される処理である。
【００３２】
演奏処理は、カラオケ楽曲情報に含まれる演奏情報を音響制御部２５にて演奏させる処理である。音響制御部２５にて演奏された楽曲は、マイクロホン４４ａ、４４ｂから入力される歌唱音声と一緒にスピーカー４２から放音される。歌詞再生処理は、カラオケ楽曲情報に含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３３】
一方、リモコン装置１は、予約情報などカラオケ装置２に対して各種指示を送信するとともに、カラオケ装置２あるいはインターネット上に接続されたサーバー装置から各種情報を受信する。リモコン装置１は、リモコン側表示手段としての表示部１１と、ユーザーからの各種入力を受け付けるリモコン側入力手段としての操作部１７とを備える。また、リモコン装置１は、アクセスポイント１３０に無線接続し、ネットワークに加入するためのリモコン側通信手段としての無線ＬＡＮ通信部１６を備える。
【００３４】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００３５】
また、リモコン装置１は、無線ＬＡＮ通信部１６によって、アクセスポイント１３０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３６】
このようなリモコン装置１の構成により、ユーザーからの各種入力を操作部１７にて受付けるとともに、映像情報を表示部１１に表示してユーザーに対して各種情報を提供するとともに、カラオケ装置２に対して楽曲予約などの各種指示を送信することが可能とされている。
【００３７】
図３は、本発明の実施形態に係る公開動画情報、カラオケ楽曲情報のデータ構成を示す図である。公開サーバー装置８１に投稿され、ユーザー端末で視聴可能となるように公開される公開動画情報は、公開動画情報の属性を規定するメタ情報と、再生の対象となる実情報を含んで構成されている。本実施形態のメタ情報は、公開者名、動画タイトルを含んで構成されている。また、実情報には映像情報と音声情報が含まれている。
【００３８】
一方、楽曲投稿サーバー装置８２に投稿され、カラオケ装置２で再生可能となるカラオケ楽曲情報は、そのメタ情報として投稿者名、楽曲名、歌手名、ジャンル、投稿者の活動地域等を含んで構成されている。また、実情報としては、音響制御部２５で演奏される演奏情報、映像再生部２９で再生される背景映像情報、歌詞情報等を含んで構成されている。本実施形態では、投稿ユーザーが公開サーバー装置８１に対して、ある楽曲の公開動画情報（本発明の「公開楽曲情報」に相当）を投稿して公開する（公開処理）と共に、楽曲投稿サーバー装置８２に対して同じ楽曲のカラオケ楽曲情報を投稿する（投稿処理）ことを前提としている。その場合、公開動画情報中の音声情報と、カラオケ楽曲情報中の演奏情報は同じ楽曲に関する演奏を収録した情報となる。なお、公開動画情報中の音声情報と、カラオケ楽曲情報中の演奏情報は厳密に一致する必要は無く、例えば、公開動画情報中の音声情報には歌唱されたボーカル音を含むこととしてもよい。また、公開動画情報中の映像情報とカラオケ楽曲情報中の背景映像情報も、一致している必要は無く、別の映像であってもよい。例えば、公開動画情報中の映像情報に歌詞を表示させた形態としてもよい。
【００３９】
図４は、投稿ユーザーによるコンテンツのアップロードを説明するための図である。本実施形態では、投稿ユーザーは、作成した楽曲のコンテンツとして、公開動画情報を公開サーバー装置８１に投稿し、カラオケ楽曲情報を楽曲投稿サーバー装置８２に投稿することを前提としている。投稿ユーザーによって作成（Ｓ１０１）されたコンテンツとしての公開動画情報には、公開動画情報に関連した関連情報が付与され公開サーバー装置８１に送信される（Ｓ１０２）。本実施形態では、関連情報として公開者名、動画タイトル（楽曲名）の少なくとも１つをコード化した二次元バーコード（コード化情報）を映像情報中に表示させることとしている。二次元バーコードの含ませ方としては、投稿ユーザーがソフトウェアを使用して、公開者名、動画タイトルに基づいて形成した二次元バーコードを印刷し、撮影することで映像情報を形成する、あるいは、映像情報の映像編集時に形成した二次元バーコードを重畳すること等、各種形態を採用することが考えられる。本実施形態では、この二次元バーコードを使用して、カラオケシステムに配信されるカラオケ楽曲情報の選曲が行われる。なお、関連情報としてのコード化情報としては、このような二次元バーコード以外に、一次元のバーコード等、各種形態を採用することが可能である。なお、関連情報には、このようなコード化情報を使用する形態以外に、公開者名、動画タイトルといった文字情報を使用してもよい。
【００４０】
一方、投稿ユーザーによって作成（Ｓ１０１）されたコンテンツとしてのカラオケ楽曲情報は、楽曲投稿サーバー装置８２に送信され、記憶手段３８に記憶される。その際、カラオケシステムにおいて選曲を可能とするため、カラオケシステム独自体系の識別情報（楽曲番号等）が付与される（Ｓ２０１）。識別情報が付与されたカラオケ楽曲情報は、カラオケシステムに配信される（Ｓ２０２）。カラオケ楽曲情報の配信形態としては、選曲が行われる前に事前にカラオケ装置２のハードディスク３２に事前に配信しておく形態の他、選曲が行われた際にストリーム形式で配信する等、各種形態を採用することが可能である。
【００４１】
このように本実施形態では、投稿ユーザーが作成したオリジナル楽曲等のコンテンツについて、その公開動画情報を公開サーバー装置８１に投稿し、カラオケシステムで歌唱するためのカラオケ楽曲情報を楽曲投稿サーバー装置８２に投稿することとしている。特に、公開動画情報には、関連情報が付与されており、これを使用して、カラオケシステムに配信されたカラオケ楽曲情報の選曲が行われる。本実施形態では、カラオケ楽曲情報の選曲にユーザーが所持する携帯端末６を使用して行うこととしている。特に、携帯端末６に搭載されたリアカメラ６２で、公開サーバー装置８１で公開された公開動画情報の再生時に、関連情報を撮影する簡単な操作で、カラオケ楽曲情報を容易に選曲することが可能となっている。まず、携帯端末６の構成、並びに、カラオケシステムにおいて携帯端末６をリモコンとして使用可能とする対応付け処理について説明する。
【００４２】
図６には、本発明の実施形態に係る携帯端末６の構成が示されている。この携帯端末６としては、スマートホン、タブレット端末、携帯電話等を使用することが可能である。この携帯端末６に、本発明に係るプログラム（アプリ）をインストールし、プログラム上において対応付け処理（紐付け処理とも呼ぶことがある）を実行することで、携帯端末６をカラオケ装置２のリモコンとして使用することが可能となる。
【００４３】
本実施形態の携帯端末６は、各種情報を表示し、ユーザーのタッチ操作を受け付けるタッチパネル表示部６１が設けられている、また携帯端末６の筐体背面には、撮影を行うためのリアカメラ６２が設けられている。この他、携帯端末６には、各種制御を行うための制御部、ＲＡＭ、記憶部、画像処理部、音響処理部、携帯端末網と通信を行うための携帯網通信部、無線ＬＡＮ通信部などを備えている。携帯網通信部は、携帯無線網を介した無線通信を行うことが可能であり、無線基地局と無線通信することで、通話、あるいは、インターネットを使用した通信を行うことが可能である。
【００４４】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００４５】
図２で説明したカラオケ店舗に設置されるカラオケシステムにおいて、カラオケ店舗に来店したユーザーは、自己の所持する携帯端末６を使用対象となるカラオケシステムのリモコンとして機能させることを可能としている。そのため、本実施形態のカラオケシステムは、ユーザーが所持する携帯端末６と、使用対象となるカラオケ装置２を対応付ける対応付け処理を行う。
【００４６】
では、携帯端末６をカラオケ装置２のリモコンとして機能させるための対応付け処理の一例を紹介する。なお、対応付け処理には、ここで紹介する例の他に各種形態が存在する。本発明では、ユーザーが所持する携帯端末６と使用対象となるカラオケシステムとを対応付ける対応付け処理であれば、様々な形態の対応付け処理を採用できるものであって、利用通信環境や、楽曲投稿サーバー装置８２の使用有無等の各種条件を問うものではない。また、本実施形態では、対応付け処理を、カラオケ楽曲情報を管理する楽曲投稿サーバー装置８２で行っているが、対応付け処理は他のサーバー装置で行うこととしてもよい。
【００４７】
図５には、本実施形態のカラオケシステムにおける対応付け処理を示すフロー図が示されている。また、図６には、カラオケシステムにおける対応付け処理を示す模式図が示されている。本実施形態の対応付け処理は、ユーザーが使用対象となるカラオケシステムにログインするとともに、同じアカウントを使用して携帯端末６でログインすることでユーザーの携帯端末６とカラオケシステムとの対応付けを行うこととしている。
【００４８】
カラオケ店舗に来店したユーザーは、リモコン装置１等の入力手段を使用して、自分のアカウント情報を入力する。カラオケシステムは、アカウント情報の入力に基づき、楽曲投稿サーバー装置８２に対して装置側ログイン要求を送信する（Ｓ４１１）。なお、この装置側ログイン要求には、どのカラオケシステムからの要求であるかを特定するため、カラオケ装置ＩＤ（カラオケ装置識別情報）が含まれている。装置側ログイン要求を受信（Ｓ６０１）した楽曲投稿サーバー装置８２は、受信した端末側ログイン要求に含まれるアカウント情報を利用して認証を行う（Ｓ６０２）。認証は、アカウント情報に含まれるユーザーＩＤとパスワードの対が、楽曲投稿サーバー装置８２側の記憶手段８２２に記憶しているものと一致するか否かによって行われる。認証に成功した場合（Ｓ６０３：Ｙｅｓ）、要求のあったカラオケシステムに対してログイン完了を通知する（Ｓ６０４）。ログインが完了したカラオケシステムでは、ログインしたユーザーに対応するユーザー情報を使用した各種サービスを受けることが可能となる（Ｓ４１２）。一方、認証に失敗した場合（Ｓ６０３：Ｎｏ）には、楽曲投稿サーバー装置８２は、要求のあったカラオケシステムに対して認証エラー情報を送信する。
【００４９】
楽曲投稿サーバー装置８２は、カラオケシステムからのログインに成功した場合、記憶手段８２２に記憶している対応付けテーブルにカラオケ装置ＩＤとユーザーＩＤとを追加する（Ｓ６０５）。この対応付けテーブルにて、楽曲投稿サーバー装置８２側では、どのユーザーがどのカラオケシステムにログインしているかを判別することが可能となる。
【００５０】
一方、ユーザーは、自分が所持する携帯端末６において、プログラムを起動し、端末側ログイン要求を楽曲投稿サーバー装置８２に送信する（Ｓ５０１）。この端末側ログイン要求には、ユーザーのアカウント情報（ユーザＩＤとパスワード）が含まれている。端末側ログイン要求を受信（Ｓ６０５）した楽曲投稿サーバー装置８２は、装置側ログイン要求の場合と同様、受信した端末側ログイン要求に含まれるアカウント情報を利用して認証を行う（Ｓ６０６）。認証に成功した場合（Ｓ６０７：Ｙｅｓ）、楽曲投稿サーバー装置８２は、記憶手段８２２に記憶している対応付けテーブルに、端末側ログイン要求を行ったユーザーのユーザーＩＤがあるか否かを判定し、当該ユーザーＩＤが有る場合（Ｓ６０８：Ｙｅｓ）、端末側ログイン要求でログインした携帯端末６と、装置側ログイン要求でログインしたカラオケシステムとの対応付けを完了する（Ｓ６０９）。そして、端末側ログイン要求のあった携帯端末６に対応付け完了通知を送信する（Ｓ６１０）。対応付けの完了した携帯端末６では、対応付けられたカラオケシステムを遠隔操作する遠隔操作処理（Ｓ５１０）が実行可能となる。
【００５１】
以上、本実施形態の、携帯端末６をカラオケ装置２のリモコンとして機能させるための対応付け処理について説明を行ったが、装置側ログイン要求と端末側ログイン要求は、どちらが先にあるかを問うものではない。次に、対応付けられた携帯端末６において実行される遠隔操作処理（Ｓ５１０）の詳細について説明を行う。
【００５２】
図７は、本実施形態のカラオケシステムにおける遠隔操作処理を示すフロー図であり、図８は、本実施形態のカラオケシステムにおける遠隔操作処理を示す模式図である。図８の模式図の例に示されるように、ユーザー（ユーザーＡ）が所持する携帯端末６と、当該ユーザーが使用対象とするカラオケ装置２（カラオケ装置ａ）と、が対応付けられたカラオケシステムでは、携帯端末６からカラオケシステムに対して、楽曲の予約等、カラオケシステムを遠隔操作するためのコマンドなど、各種情報を送信することが可能である。
【００５３】
遠隔操作処理（Ｓ５１０）では、対応付け処理の完了後、後述するＳ５１１〜Ｓ５１３の処理を繰り返し実行することで、携帯端末６によるカラオケシステムの操作を行う。携帯端末６で実行される遠隔操作処理では、携帯端末６にコマンドが入力されると（Ｓ５１１：Ｙｅｓ）、ユーザーＩＤとコマンドを含む送信コマンド情報が楽曲投稿サーバー装置８２に送信される（Ｓ５１２）。送信コマンド情報を受信した楽曲投稿サーバー装置８２は、対応付けテーブルを参照して、ユーザーが使用しているカラオケ装置２を判別し、当該、カラオケ装置２に対してカラオケ装置ＩＤ、コマンド、ユーザーＩＤを含んだ転送コマンド情報を送信する。カラオケ装置２は、転送コマンド情報に含まれるコマンドを実行する。このように本実施形態では、ユーザーが所持する携帯端末６をカラオケ装置２に対応付けることで、携帯端末６を使用した遠隔操作を可能としている。また、携帯端末６に終了指示が入力された場合（Ｓ５１３：Ｙｅｓ）、楽曲投稿サーバー装置８２に対応付け解除指示を送信する（Ｓ５１４）。対応付け解除指示を受信した楽曲投稿サーバー装置８２は、対応付けテーブルから該当する項目（カラオケ装置ＩＤとユーザＩＤの対）を削除する。
【００５４】
本実施形態では、このようにカラオケシステムに対応付けられた携帯端末６を使用して、投稿されたカラオケ楽曲情報の選曲が行われる。図９は、歌唱ユーザーによる携帯端末でのカラオケ楽曲の選曲を説明するための図である。ここで歌唱ユーザーとは、携帯端末６を使用してカラオケ楽曲情報を選曲するユーザーのことをいう。本実施形態では、歌唱ユーザーは、パーソナルコンピュータ６ｂを使用してＷｅｂ閲覧を行い、公開サーバー装置８１で公開されている公開動画情報を閲覧している場合（Ｓ３０１）を想定している。
【００５５】
図１０には、パーソナルコンピュータ６ｂに表示された動画公開サイトの動画選択画面を示した図である。動画公開サイトは、公開サーバー装置８１にて提供されるＷｅｂサイトであって、ユーザーはこの動画選択画面で視聴する公開動画情報を選択することが可能である。ＰＣ表示ウィンドウ７１内には、検索ワード入力欄７１ａが設けられ、所望の検索ワードを入力することで、公開動画情報を検索することが可能である。また、動画公開サイト側で選定した公開動画情報について、動画タイトル７１ｂ、公開者名７１ｃ、サムネイル画像７１ｄが提示されている。サムネイル画像７１ｄを選択することで、それに対応する公開動画情報を再生することが可能である。
【００５６】
図１１は、動画公開サイトの動画視聴画面を示した図である。動画選択画面等を使用して公開動画情報が選択された場合、この動画視聴画面において公開動画情報が再生される。再生時、映像表示欄７１ｆには、公開動画情報中の映像情報が再生される。また、音声情報もパーソナルコンピュータに接続されたスピーカーから放音される。動画視聴画面には、再生ツール７１ｇが設けられており、一時停止、巻き戻し、早送り、音量調整といった再生に関する各種操作を行うことが可能となっている。また、公開情報欄には、公開動画情報のメタ情報に規定された公開者名、動画タイトル、投稿日等が表示される。
【００５７】
図１１は、図４で説明したように関連情報として二次元バーコードを付与して投稿された公開動画情報の再生の様子である。映像表示欄７１ｆの右下には、関連情報としての二次元バーコード７１ｅが表示されている。二次元バーコード７１ｅは、公開動画情報の再生期間中、常に表示することしてもよく、あるいは、再生開始から所定時間、あるいは、再生終了間の所定時間に表示する等の形態が考えられる。また、カラオケ楽曲情報を選曲するために表示されていること、使用するには携帯端末６のプログラムで読み取ることといった二次元バーコード７１ｅに関する説明を表示することとしてもよい。
【００５８】
動画公開サイトに公開された楽曲に興味を持った歌唱ユーザーは、携帯端末６を使用してカラオケ楽曲情報の選曲を行うことが可能となる。歌唱ユーザーは携帯端末６にて投稿楽曲選曲プログラムを起動する。投稿楽曲選曲プログラムでは、コード読み取りモードとすることで、携帯端末６に設けられたリアカメラ６２を使用して、二次元バーコード７１ｅを読み取ることが可能である。図１２には、コード読み取りモード時の携帯端末６の画面（コード読み取り画面）が示されている。コード読み取り画面には、カメラモニター欄６１ａが設けられ、リアカメラ６２で撮影中の様子が表示されている。動画公開サイトを閲覧中（Ｓ３０１）の歌唱ユーザーは、公開動画情報の再生時に表示される二次元バーコード７１ｅを、リアカメラ６２を使用して撮影する。携帯端末６は、撮影中の画像から二次元バーコード７１ｅを認識し、二次元バーコード７１ｅに埋め込まれた関連情報を取得する（Ｓ３０２）。
【００５９】
図４で説明したように、本実施形態では、楽曲投稿サーバー装置８２に投稿されたカラオケ楽曲情報には、選曲のための識別情報が付与される（Ｓ２０１）。カラオケ楽曲情報を選曲するには、この識別情報が必要になるが、本実施形態では公開動画情報に付与された関連情報を使用して、対応するカラオケ楽曲情報を判定し、それに付与された識別情報を取得することとしている。二次元バーコード７１ｅの読み取りで関連情報を取得した携帯端末６は、識別情報取得のため楽曲投稿サーバー装置８２に関連情報を送信する（Ｓ３０３）。本実施形態では、関連情報として公開動画情報中のメタ情報に規定されている公開者名、動画タイトルが含まれている。楽曲投稿サーバー装置８２は、投稿されたカラオケ楽曲情報のメタ情報を参照し、公開者名で投稿者名を、動画タイトルで楽曲名を検索し、両者に一致、あるいは、類似するカラオケ楽曲情報を判定する（Ｓ２１２）。そして判定されたカラオケ楽曲情報に対応する識別情報を携帯端末６に返信する（Ｓ２１３）。その際、本実施形態では、カラオケ楽曲情報に付与されているメタ情報も合わせて返信することとしている。
【００６０】
識別情報を取得した携帯端末６は、識別情報と一緒に受信したメタ情報に基づいて楽曲確認画面を表示する（Ｓ３０５）。図１３には、携帯端末６のタッチパネル表示部６１に表示される楽曲確認画面が示されている。楽曲確認画面には、識別情報と一緒に受信したメタ情報によって投稿者名、楽曲名、背景映像情報を一部切り出したサムネイル画像等が楽曲関連情報６１ｂとして表示されている。歌唱ユーザーはこの楽曲確認画面に表示された楽曲が、動画公開サイトで視聴した楽曲であるか否かを確認する。なお、この例では、楽曲投稿サーバー装置８２で判定された１のカラオケ楽曲情報について楽曲確認画面を表示しているが、検索の結果、複数の候補楽曲が存在することが考えられる。その場合、複数のカラオケ楽曲情報についての楽曲関連情報６１ｂを歌唱ユーザーに提示して、選択させることとしてもよい。また、楽曲確認画面には、予約する楽曲の音程（キー）を設定する音程設定欄６１ｃが設けられている。この音程設定欄６１ｃを操作することで、音程の上下を可能とする子画面が表示され、歌唱ユーザーは自分の音域に合わせて歌唱する楽曲の音程設定を行うことが可能である。
【００６１】
歌唱ユーザーは楽曲確認画面において、楽曲関連情報６１ｂを使用してカラオケシステムに予約する楽曲を確認するとともに、音程設定欄６１ｃを使用して、再生時の音程設定を行うことが可能である。確認、設定を行ったユーザーは、予約ボタン６１ｄを操作すること（Ｓ３０６：Ｙｅｓ）で、表示されている楽曲を対応付けられたカラオケ装置２に予約する。予約を行うことで、携帯端末６から、予約した楽曲を示す識別情報、及び、音程設定など再生時の各種設定に関する設定情報を含む予約情報が、楽曲投稿サーバー装置８２を経由してカラオケ装置２に送信される（Ｓ３０７）。
【００６２】
予約情報を受信（Ｓ４０１）したカラオケ装置２は、予約情報に含まれる識別情報に対応するカラオケ楽曲情報を読み出して音響制御部２５で再生を行う。このように本実施形態では、公開サーバー装置８１で公開された公開動画情報に付与された関連情報（本実施形態では二次元バーコード７１ｅ）を使用し、カラオケシステム側に投稿されたカラオケ楽曲情報を容易に選曲することが可能である。本実施形態では、パーソナルコンピュータ６ｂで動画公開サイトを閲覧し、再生された関連情報を読み取る構成としているが、カラオケシステムの近くにパーソナルコンピュータ６ｂが設置されていない場合が想定される。動画公開サイトの閲覧は、パーソナルコンピュータ６ｂに限られるものでは無く、他のユーザーの携帯端末６を使用する、あるいは、カラオケシステム中のリモコン装置１を使用して閲覧することとしてもよい。カラオケシステムの近くで、関連情報を読み取ってカラオケ楽曲情報の選曲を行うことが可能となる。あるいは、携帯端末６で読み取った関連情報は、携帯端末６に記憶しておき、カラオケシステムを利用する際に、楽曲投稿サーバー装置８２に識別情報を問い合わせる、あるいは、楽曲投稿サーバー装置８２に問い合わせた結果を携帯端末６に保存可能としてもよい。
【００６３】
あるいは、携帯端末６で使用する投稿楽曲選曲プログラムに動画公開サイトの閲覧機能を設けることとしてもよい。図１４は、動画公開サイトの閲覧機能を有する投稿楽曲選曲プログラムの画面例であり、タッチパネル表示部６１に表示された動画公開サイトの動画選択画面である。動画選択画面には、図１０の動画選択画面と同様、検索ワード入力欄６１ｅが設けられており、歌唱ユーザーは、所望の検索ワードを入力することで、公開動画情報を検索することが可能である。また、動画公開サイト側で選定した公開動画情報について、動画タイトル６１ｆ、公開者名６１ｇ、サムネイル画像６１ｈが提示されている。サムネイル画像６１ｈを選択することで、それに対応する公開動画情報を再生することが可能である。
【００６４】
図１５は、投稿楽曲選曲プログラムに表示された動画公開サイトの動画視聴画面を示した図である。図１４の動画選択画面等を使用して公開動画情報が選択された場合、この動画視聴画面において公開動画情報が再生される。再生時、映像表示欄６１ｉには、公開動画情報中の映像情報が再生される。また、音声情報も携帯端末６に設けられたスピーカーから放音される。動画視聴画面には、再生に関する各種操作を行うための再生ツール６１ｋが設けられている。また、公開情報欄６１ｍには、公開動画情報のメタ情報に規定された公開者名、動画タイトル、投稿日等が表示される。
【００６５】
本実施形態の投稿楽曲選曲プログラムの動画視聴画面には、歌唱用選曲ボタン６１ｎが設けられている。公開動画情報を視聴中、投稿楽曲選曲プログラムは、映像表示欄６１ｉ内で再生される映像情報を監視し、二次元バーコード６１ｊの検出を行う。二次元バーコード６１ｊを検出した場合、この歌唱用選曲ボタン６１ｎが操作可能となる。歌唱用選曲ボタン６１ｎが操作された場合、投稿楽曲選曲プログラムは、二次元バーコードから関連情報を取得（図９のＳ３０２に相当）して、楽曲投稿サーバー装置８２に識別情報の問い合わせを行う。問い合わせ後の処理は、前述した実施形態と同様であって、歌唱ユーザーは、関連情報に対応するカラオケ楽曲情報の楽曲確認画面（図１３）を使用して、カラオケシステムに対してカラオケ楽曲情報の予約操作を行うことが可能となる。
【００６６】
このように本実施形態では、携帯端末６で使用する投稿楽曲選曲プログラムに動画公開サイトの閲覧機能を設けることで、携帯端末６のみで公開動画情報の視聴、並びに、それに対応するカラオケ楽曲情報の予約を行うことが可能である。なお、投稿楽曲選曲プログラムでは、公開サーバー装置８１で公開する全ての公開動画情報を視聴可能とする他、関連情報が付与されている公開動画情報のみを視聴可能としてもよい。
【００６７】
また、前述の実施形態では、図４におけるコンテンツ（公開動画情報、カラオケ楽曲情報）のアップロード（公開処理、投稿処理）に特段、関連性を持たせていなかったが、公開動画情報とカラオケ楽曲情報の形成、アップロードを管理する専用プログラムを使用することとしてもよい。図１６は、他の実施形態であって、公開処理、投稿処理を同時に行うことを可能とした公開・投稿処理のフロー図である。投稿ユーザーは、公開動画情報、カラオケ楽曲情報の形成に必要なコンテンツ素材を入力する（Ｓ６０１：Ｙｅｓ）。そして、公開動画情報、カラオケ楽曲情報に関するメタ情報を入力する（Ｓ６０２：Ｙｅｓ）。公開動画情報、カラオケ楽曲情報は同じ楽曲に関する情報であるため、コンテンツ素材、メタ情報は共用することが可能である。例えば、コンテンツ素材について、公開動画情報中の音声情報とカラオケ楽曲情報中の演奏情報を共用すること、また、メタ情報について、公開者名（公開動画情報）と投稿者名（カラオケ楽曲情報）、動画タイトル（公開動画情報）と楽曲名（カラオケ楽曲情報）は共通の情報を使用することが可能である。
【００６８】
また、この専用プログラムでは、入力されたメタ情報に基づいて二次元バーコード等の関連情報を自動で形成する（Ｓ６０３）。そして、コンテンツ素材、メタ情報、関連情報を使用して、公開サーバー装置８１に適した公開動画情報を形成する（Ｓ６０４）。形成された公開動画情報は公開サーバー装置８１に送信される（Ｓ６０５）。また、コンテンツ素材、メタ情報を使用して、楽曲投稿サーバー装置８２に適したカラオケ楽曲情報を形成する（Ｓ６０６）。形成されたカラオケ楽曲情報は楽曲投稿サーバー装置８２に送信される（Ｓ６０７）。このような専用プログラムを使用することで、ユーザーは同じ投稿楽曲について公開動画情報、カラオケ楽曲情報を容易に形成し、投稿することが可能となる。
【００６９】
また、図４における公開動画情報のアップロード時、関連情報は投稿ユーザーによって用意されたものを使用することとしているが、関連情報は楽曲投稿サーバー装置８２によって発行された情報を使用することとしてもよい。図１７は、他の実施形態について投稿ユーザーによるコンテンツのアップロードを説明するための図である。まず、投稿ユーザーは楽曲投稿サーバー装置８２に対してカラオケ楽曲情報の投稿を行う（Ｓ１１１）。楽曲投稿サーバー装置８２では、受信したカラオケ楽曲情報のメタ情報を参照し、カラオケ楽曲情報を特定可能な関連情報を発行する（Ｓ２２１）。投稿ユーザーは、受信した関連情報（Ｓ１１２）を公開動画情報に付与した上（Ｓ１１３）で、公開サーバー装置８１に投稿を行う。このような構成によれば、公開動画情報に付与される二次元バーコード等の関連情報は、楽曲投稿サーバー装置８２によって発行された情報であるため、携帯端末６からの問い合わせ（図９のＳ３０３）があった際、正確にカラオケ楽曲情報を判定することが可能となる。なお、この場合、関連情報には、カラオケ楽曲情報のメタ情報を使用する形態以外に、カラオケ楽曲情報の再生時間、音声情報、映像情報の周波数情報を使用する等、カラオケ楽曲情報を特定できる各種情報を使用してもよい。
【００７０】
以上、本発明の投稿楽曲選曲システムについて各種形態を説明したが、本発明は、図１で説明した楽曲投稿サーバー装置８２を少なくとも含んだ投稿楽曲選曲システムのみならず、携帯端末６で実行され、取得した関連情報を使用してカラオケ楽曲情報の選曲を可能とする投稿楽曲選曲プログラム、あるいは、投稿楽曲選曲方法、そして、カラオケ楽曲情報を管理する楽曲投稿サーバー装置８２も本発明の範疇に属する。
【符号の説明】
【００７１】
１（１ａ、１ｂ）：リモコン装置      ４４ａ、４４ｂ：マイクロホン
２（２ａ〜２ｃ）：カラオケ装置      ６１：タッチパネル表示部
５：無線通信装置                    ６１ａ：カメラモニター欄
６：携帯端末                        ６１ｂ：楽曲関連情報
６ａ：パーソナルコンピュータ        ６１ｃ：音程設定欄
６ｂ：パーソナルコンピュータ        ６１ｄ：予約ボタン
７：携帯情報端末                    ６１ｅ：検索ワード入力欄
１１：表示部                        ６１ｆ：動画タイトル
１２：ビデオＲＡＭ                  ６１ｇ：公開者名
１３：映像制御部                    ６１ｈ：サムネイル画像
１４：メモリ                        ６１ｉ：映像表示欄
１５：制御部                        ６１ｊ：二次元バーコード
１６：無線ＬＡＮ通信部              ６１ｋ：再生ツール
１７：操作部                        ６１ｍ：公開情報欄
１８：操作処理部                    ６１ｎ：歌唱用選曲ボタン
２１：操作部                        ６２：リアカメラ
２２：操作処理部                    ７１：ＰＣ表示ウィンドウ
２４：ＬＡＮ通信部                  ７１ａ：検索ワード入力欄
２５：音響制御部                    ７１ｂ：動画タイトル
２７：メモリ                        ７１ｃ：公開者名
２８：ビデオＲＡＭ                  ７１ｄ：サムネイル画像
２９：映像再生部                    ７１ｅ：二次元バーコード
３０：制御部                        ７１ｆ：映像表示欄
３１：映像制御部                    ７１ｇ：再生ツール
３２：ハードディスク                ８１：公開サーバー装置
３３：タッチパネルモニタ            ８２：楽曲投稿サーバー装置
３４：タッチパネル                  ９２：ルータ
３５：表示部                        １３０：アクセスポイント
３８：記憶手段                      ８２１：制御手段
４１：モニタ                        ８２２：記憶手段
４２：スピーカー                    ８２３：通信手段
【図１】
0006623841.tif 000002
【図２】
0006623841.tif 000003
【図３】
0006623841.tif 000004
【図４】
0006623841.tif 000005
【図５】
0006623841.tif 000006
【図６】
0006623841.tif 000007
【図７】
0006623841.tif 000008
【図８】
0006623841.tif 000009
【図９】
0006623841.tif 000010
【図１０】
0006623841.tif 000011
【図１１】
0006623841.tif 000012
【図１２】
0006623841.tif 000013
【図１３】
0006623841.tif 000014
【図１４】
0006623841.tif 000015
【図１５】
0006623841.tif 000016
【図１６】
0006623841.tif 000017
【図１７】
0006623841.tif 000018